(57)【要約】【課題】  二重構造のハウジングを有する打撃工具において、モータ冷却後の冷却風の排出性の向上を図る。【解決手段】  打撃工具であり、モータ１１０と、冷却ファン５５０と、モータ１１０及び冷却ファン５５０を収容するモータハウジング１０３Ａと、モータハウジング１０３Ａの外側に配置された外側ハウジング１０５と、モータハウジング１０３Ａと外側ハウジング１０５の間に形成された内部空間Ｓを仕切るように、モータハウジング１０３Ａと外側ハウジング１０５の間に配置された仕切り壁５６０と、を有する。冷却ファン５５０によって発生した冷却風は、モータハウジング１０３Ａの内部を通過してモータ１１０を冷却した後に、モータハウジング１０３Ａの排出口５５９から外側ハウジング１０５の吹出し口５５５Ａを経て当該外側ハウジング１０５の外側に排出される構成である。仕切り壁５６０は、排出口５５９に隣接して配置されており、排出口５５９から吹出し口５５５Ａへの冷却風の流動を促進する。【選択図】  図１０
2015136744.tif 000002
【特許請求の範囲】
【請求項１】
先端工具を少なくとも長軸方向に駆動して所定の作業を行う打撃工具であって、
モータと、
前記モータで駆動される冷却ファンと、
前記モータ及び前記冷却ファンを収容するモータハウジングと、
前記モータハウジングの外側に当該モータハウジングを囲むように配置された外側ハウジングと、
前記モータハウジングと前記外側ハウジングの間に形成された内部空間を仕切るように、前記モータハウジングと前記外側ハウジングの間に配置された仕切り壁と、を有し、
前記冷却ファンによって発生した冷却風は、前記モータハウジングの内部を通過して前記モータを冷却した後、前記モータハウジングの排出口から前記内部空間に排出されるとともに当該内部空間を通って前記外側ハウジングの吹出し口から当該外側ハウジングの外側へと排出される構成であり、
前記仕切り壁は、前記排出口に隣接して配置されており、前記排出口から前記吹出し口への冷却風の流動を促進することを特徴とする打撃工具。
【請求項２】
請求項１に記載の打撃工具であって、
前記外側ハウジングは、前記モータハウジングに対し弾性体を介して前記先端工具の長軸方向に相対移動可能に連結された防振ハウジングとして構成されていることを特徴とする打撃工具。
【請求項３】
請求項１又は２に記載の打撃工具であって、
前記仕切り壁は、前記モータハウジングに一体に形成された突部で構成され、
前記突部は、前記モータの軸方向に交差する方向に突出されていることを特徴とする打撃工具。
【請求項４】
請求項３に記載の打撃工具であって、
前記外側ハウジングに設けられた弾性材からなるシール部材を有し、
前記シール部材は、前記突部に当接されていることを特徴とする打撃工具。
【請求項５】
請求項４に記載の打撃工具であって、
前記シール部材は、前記外側ハウジングに固定されるシール本体部と、
前記突部に当接するリップ部と、を有し、
前記リップ部は、前記シール本体部よりも薄肉に形成されていることを特徴とする打撃工具。
【請求項６】
請求項１又は２に記載の打撃工具であって、
前記仕切り壁は、前記外側ハウジングに一体に形成された突部で構成され、
前記突部は、前記モータの軸方向に交差する方向に突出されていることを特徴とする打撃工具。
【請求項７】
請求項１又は２に記載の打撃工具であって、
前記仕切り壁は、前記モータハウジングに取り付けられる組付け部材で構成され、
前記組付け部材は、前記モータの軸方向に交差する軸方向交差壁と、前記モータの軸方向に延在する軸方向延在壁とを有し、
前記軸方向交差壁と前記軸方向延在壁は、前記排出口から排出された冷却風を前記吹出し口へ導く流通路を構成することを特徴とする打撃工具。
【請求項８】
請求項１〜７のいずれか１項に記載の打撃工具であって、
前記内部空間に配置され、前記モータの駆動を制御するコントローラを有し、
前記外側ハウジングには、前記内部空間にモータ冷却用の外気を吸い込む第１吸込み口と、コントローラ冷却用の外気を吸い込む第２吸込み口と、が個別に設けられていることを特徴とする打撃工具。
【請求項９】
請求項１〜８のいずれか１項に記載の打撃工具であって、
前記先端工具の長軸方向に延在する長軸線を挟んで対向状に配置された一対のハンドルを有し、
前記一対のハンドルは、前記先端工具の長軸方向に交差する方向に延在する長尺状に形成されており、
前記モータは、当該モータの回転軸線が前記先端工具の長軸方向に交差する方向に延在するように配置されており、
前記外側ハウジングは、前記モータハウジングの周りを囲む壁面のうち、前記モータの回転軸線と交差する壁面に、当該外側ハウジングの外部の空気を前記モータの冷却風として前記内部空間に吸い込む第１吸込み口を有することを特徴とする打撃工具。
【発明の詳細な説明】
【技術分野】
【０００１】
本発明は、先端工具が少なくとも長軸方向に打撃されることで被加工材に所定のハンマ作業を遂行する打撃工具に関する。
【背景技術】
【０００２】
特表２００７−５１３７８４号公報は、作業者の左右の手によりそれぞれ把持される一対のハンドルを備えた電動ハンマを示している。この電動ハンマは、先端工具を駆動するための駆動機構を収容した本体ハウジングの周りを囲む外側ハウジングを有し、この外側ハウジングにハンマの打撃軸線と交差する方向に延びる一対のハンドルを備えている。外側ハウジングは、本体ハウジングに対して複数のローラで構成される転動体装置を介して打撃軸線方向に相対移動可能とされるとともに、弾性部材によって本体ハウジングに接続されて、本体ハウジングからの振動伝達が低減される防振構造として構成されている。
【先行技術文献】
【特許文献】
【０００３】
【特許文献１】特表２００７−５１３７８４号公報
【発明の概要】
【発明が解決しようとする課題】
【０００４】
電動ハンマでは、モータにより駆動される冷却ファンを用いて外部の空気を本体ハウジング内に吸入してモータを冷却後、本体ハウジングの外部へ排出するモータ冷却機構を備えている。ところが、特表２００７−５１３７８４号公報に記載のような二重構造のハウジングを備えた電動ハンマの場合には、本体ハウジングの外側を外側ハウジングが覆う構造のため、本体ハウジング内のモータを冷却した冷却風が外部へ排出し難いものであり、この点でなお改良の余地がある。
【０００５】
本発明は、上記に鑑みてなされたものであり、二重構造のハウジングを有する打撃工具において、モータ冷却後の冷却風の排出性の向上を図ることを目的とする。
【課題を解決するための手段】
【０００６】
上記課題を達成するため、本発明に係る打撃工具の好ましい形態によれば、先端工具を少なくとも長軸方向に駆動して所定の作業を行う打撃工具が構成される。打撃工具は、モータと、モータで駆動される冷却ファンと、モータ及び冷却ファンを収容するモータハウジングと、モータハウジングの外側に当該モータハウジングを囲むように配置された外側ハウジングと、モータハウジングと外側ハウジングの間に形成された内部空間を仕切るように、モータハウジングと外側ハウジングの間に配置された仕切り壁と、を有する。冷却ファンによって発生した冷却風は、モータハウジングの内部を通過してモータを冷却した後に、モータハウジングの排出口から内部空間に排出されるとともに当該内部空間を通って外側ハウジングの吹出し口から当該外側ハウジングの外側に排出される構成である。そして、仕切り壁は、排出口に隣接して配置されており、排出口から吹出し口への冷却風の流動を促進する構成とした。なお、本発明における「排出口に隣接して配置」とは、モータハウジング内に冷却風を流入させるための吸入口よりも排出口の近い側に配置する態様がこれに該当し、モータハウジングのうち、排出口の周りを囲む領域に配置する態様、外側ハウジングのうち、排出口の周りの領域に配置する態様等がこれに該当する。また、本発明における「冷却風の流動を促進する」とは、排出口から内部空間に排出された冷却風の、モータハウジングの吸入口側に向かう流れを規制し、或いは排出口から内部空間に排出された冷却風の、外側ハウジングの吹出し口への流れを誘導するように、仕切り壁により内部空間を仕切る態様をいう。仕切り壁は、モータハウジング及び外側ハウジングに対して隙間がないように内部空間を塞ぐ構成であってもよいし、若干の隙間が形成されていてもよい。
【０００７】
本発明によれば、モータハウジングと外側ハウジングの間に仕切り壁を配置して内部空間を仕切る構成であり、当該仕切り壁は、モータハウジングの排出口に隣接して配置され、排出口から外側ハウジングの吹出し口への冷却風の流動を促進する構成としている。これにより、モータ冷却後の冷却風の排出性を向上することができる。
【０００８】
本発明に係る打撃工具の更なる形態によれば、外側ハウジングは、モータハウジングに対し弾性体を介して先端工具の長軸方向に相対移動可能に連結された防振ハウジングとして構成されている。
この形態によれば、外側ハウジングが防振ハウジングとして構成されている打撃工具において、モータハウジングの排出口に隣接して配置された仕切り壁により排出口から外側ハウジングの吹出し口への冷却風の流動を促進し、モータ冷却後の冷却風の排出性を向上することができる。
【０００９】
本発明に係る打撃工具の更なる形態によれば、仕切り壁は、モータハウジングに一体に形成された突部で構成され、突部は、モータの軸方向に交差する方向に突出されている。
この形態によれば、仕切り壁は、モータハウジングに一体に形成された突部で構成されるため、モータハウジングを製作する際、同時に仕切り壁が形成されることになり、製作上の合理性が図られるとともに、突部がモータハウジングの強度を補強する部材としても機能する。
【００１０】
本発明に係る打撃工具の更なる形態によれば、外側ハウジングに設けられた弾性材からなるシール部材を有する。そして、シール部材は、突部に当接されている。
この形態によれば、外側ハウジングに設けたシール部材を突部に当接させることでモータハウジングの突部と外側ハウジング間の隙間を塞ぐことが可能となる。
【００１１】
本発明に係る打撃工具の更なる形態によれば、シール部材は、外側ハウジングに固定されるシール本体部と、突部に当接するリップ部と、を有する。そして、リップ部は、シール本体部よりも薄肉に形成されている。
この形態によれば、シール部材の突部と当接する領域がシール本体部よりも薄肉のリップ部として設定されているため、リップ部で突部を押し付けるときの押付け力を軽減することが可能となる。このため、外側ハウジングが防振ハウジングとして構成されている場合であれば、打撃工具の駆動時における外側ハウジングのモータハウジングに対する相対移動を損なわない。
【００１２】
本発明に係る打撃工具の更なる形態によれば、仕切り壁は、外側ハウジングに一体に形成された突部で構成され、突部は、モータの軸方向に交差する方向に突出されている。
この形態によれば、仕切り壁は、外側ハウジングに一体に形成された突部で構成されるため、外側ハウジングを製作する際、同時に仕切り壁が形成されることになり、製作上の合理性が図られるとともに、突部が外側ハウジングの強度を補強する部材としても機能する。
【００１３】
本発明に係る打撃工具の更なる形態によれば、仕切り壁は、モータハウジングに取り付けられる組付け部材で構成され、当該組付け部材は、モータの軸方向に交差する軸方向交差壁と、モータの軸方向に延在する軸方向延在壁とを有している。そして、軸方向延在壁と軸方向交差壁は、排出口から排出された空気を吹出し口へ導く流通路形成部材を構成する。
この形態によれば、仕切り壁が別部材として構成されるため、形状等を設定する場合の自由度が高い。また、排出口から排出された冷却風を軸方向延在壁と軸方向交差壁によって吹出し口へ導くことで、冷却風の排出性がより向上する。
【００１４】
本発明に係る打撃工具の更なる形態によれば、内部空間に配置され、モータの駆動を制御するコントローラを有する。外側ハウジングには、内部空間にモータ冷却用の外気を吸い込む第１吸込み口と、コントローラ外気を吸い込む第２吸込み口と、が個別に設けられている。
この形態によればモータ用の第１吸い込み口とコントローラ用の第２吸込み口と別個に設けたので、モータとコントローラに個別的に冷却することができる。
【００１５】
本発明に係る打撃工具の更なる形態によれば、先端工具の長軸方向に延在する軸線を挟んで対向状に配置された一対のハンドルを有し、一対のハンドルは、先端工具の長軸方向に交差する方向に延在する長尺状に形成されている。モータは、当該モータの回転軸線が先端工具の長軸方向に交差する方向に延在するように配置されている。そして、外側ハウジングは、モータハウジングの周りを囲む壁面のうち、モータの回転軸線と交差する壁面に、当該外側ハウジングの外部の空気をモータの冷却風として内部空間に吸い込む第１吸込み口を有する。
【発明の効果】
【００１６】
本発明によれば、二重構造のハウジングを有する打撃工具において、モータ冷却後の冷却風の排出性の向上を図ることができた。
【図面の簡単な説明】
【００１７】
【図１】本発明の第１実施形態に係る電動ハンマの正面図である。
【図２】電動ハンマの左側面図である。
【図３】電動ハンマの右側面図である。
【図４】電動ハンマの平面図である。
【図５】電動ハンマの内部構造を示す縦断面図である。
【図６】図５の一部拡大図である。
【図７】図５のＡ−Ａ線断面図である。
【図８】カウンターウェイトを駆動する第２運動変換機構を示す斜視図である。
【図９】外側ハウジングの一部が取り外された状態の電動ハンマを示す左側面図である。
【図１０】仕切り壁を備えた電動ハンマを外側ハウジングの一部が取り外された状態で示す斜視図である。
【図１１】図９のＢ−Ｂ線断面図である。
【図１２】本発明の第２実施形態に係る仕切り壁を備えた電動ハンマを外側ハウジングの一部が取り外された状態で示す斜視図である。
【図１３】同じく電動ハンマの右側面図である。
【図１４】図１３のＣ−Ｃ線断面図である。
【図１５】図１４の一部拡大図である。
【図１６】外側ハウジングの構成部材である１つのハウジング要素を外側から見た斜視図である。
【図１７】外側ハウジングの構成部材である１つのハウジング要素を内側から見た斜視図である。
【図１８】本発明の第３実施形態に係るダクトを示す斜視図である。
【図１９】ダクトの正面図である。
【図２０】ダクトの側面図である。
【図２１】ダクトの底面図である。
【図２２】ダクトを取り付ける前の電動ハンマを外側ハウジングの一部が取り外された状態で示す斜視図である。
【図２３】ダクトを取り付けた後の電動ハンマを外側ハウジングの一部が取り外された状態で示す斜視図である。
【図２４】モータハウジングに取り付けられたダクトを示す断面図である。
【発明を実施するための最良の形態】
【００１８】
（本発明の第１実施形態）
以下、本発明の第１実施形態につき、図１〜図１１を参照しつつ詳細に説明する。本実施形態は、電動工具の一例として電動ハンマを用いて説明する。図１〜図４には電動ハンマ１００の外観形状が示される。また、図５には電動ハンマ１００の内部機構が断面図で示される。本実施形態に係る電動ハンマ１００は、本体部１０１の先端領域にハンマビット１１９を装着し、装着されたハンマビット１１９を長軸方向に打撃動作させて、被加工材、例えばコンクリートに対してハツリ作業を行う打撃工具である。ハンマビット１１９は、筒状のツールホルダ１３１を介して本体部１０１に着脱可能に取り付けられる。ハンマビット１１９は、ツールホルダ１３１のビット挿入孔内に挿入され、周方向への相対的な回動が規制された状態で保持される。このハンマビット１１９が、本発明における「先端工具」に対応する実施構成例である。
【００１９】
図５に示すように、本体部１０１は、本体ハウジング１０３、バレル部１０４、及び外側ハウジング１０５を主体として構成される。本体ハウジング１０３は、電動モータ１１０を収容するモータハウジング１０３Ａと、第１運動変換機構１２０及び第２運動変換機構２２０を収容するギアハウジング１０３Ｂにより構成されている。バレル部１０４は、打撃要素１４０及びツールホルダ１３１の一部を収容する筒状部材として備えられる。なお、モータハウジング１０３Ａ、ギアハウジング１０３Ｂ、バレル部１０４は、共にアルミニウム製であり、ハンマビット１１９の長軸方向に関して、ハンマビット１１９側からその反対側にかけて、バレル部１０４、ギアハウジング１０３Ｂ、モータハウジング１０３Ａの順序で配置されるとともに互いに接合されて固定状に組み付けられる。このモータハウジング１０３Ａが、本発明における「モータハウジング」に対応、外側ハウジング１０５が、本発明における「外側ハウジング」に対応する実施構成例である。なお、モータハウジング１０３Ａとギアハウジング１０３Ｂについては、一体に形成しても差し支えない。
【００２０】
本体ハウジング１０３の外側には、外側ハウジング１０５が配置されている。外側ハウジング１０５は、ハンマビット１１９の長軸方向に延在する筒状に形成されており、本体ハウジング１０３の全体を外側から覆うように配置されている。外側ハウジング１０５には、ハツリ作業を行う際に、電動ハンマ１００を操作するための一対のハンドグリップ５００が設けられている。一対のハンドグリップ５００は、ハンマビット１１９の長軸方向に延在する長軸線に関して対称に配置されるとともに、当該長軸線に交差する方向に直線状に延在している。このハンドグリップ５００が、本発明における「ハンドル」に対応する実施構成例である。
【００２１】
なお、本実施形態に係る電動ハンマ１００は、概ね３０kgの重量を有する大型ハンマであり、基本的には作業者が左右の手でハンドグリップ５００を把持し、ハンマビット１１９を下向きにした状態でハツリ作業を行う。従って、本実施形態では、便宜上、ハンマビット１１９の長軸方向、すなわち本体部１０１の長軸方向に関して、ハンマビット１１９側を下側、その反対側を上側という。
【００２２】
外側ハウジング１０５は、複数のハウジング要素を互いに接合することで構成されており、図５及び図５の一部拡大図である図６に示すように、全体としてはハンマビット１１９の長軸方向に長い下方が開放された長方形の筒状に形成されている。具体的には、外側ハウジング１０５は、図１〜図３に示すように、ハンマビット１１９の長軸方向に関して、上方ハウジング１０６、下方ハウジング１０７、及び上方ハウジング１０６と下方ハウジング１０７とを接続する伸縮可能な蛇腹１０８から構成されている。上方ハウジング１０６は、左側の壁を構成する第１ハウジング要素１０６ａ、右側の壁を構成する第２ハウジング要素１０６ｂ、前側の壁を構成する第３ハウジング要素１０６ｃ、後側の壁を構成する第４ハウジング要素１０６ｄ及び上側の壁を構成する第５ハウジング要素１０６ｅにより構成され、それらが互いにネジで連結されて組み付けられる。また、第１ハウジング要素１０６ａと第２ハウジング要素１０６ｂがハンマビット１１９の長軸方向に延在する軸線に関して対称形に形成され、また、第３ハウジング要素１０６ｃと第４ハウジング要素１０６ｄも、上記軸線に関して、対称形に形成されている。すなわち、第１ハウジング要素１０６ａと第２ハウジング要素１０６ｂ同士が互いに同一形状とされ、また、第３ハウジング要素１０６ｃと第４ハウジング要素１０６ｄ同士が互いに同一形状とされる
【００２３】
外側ハウジング１０５のうち上方ハウジング１０６は、図７に示すように、本体ハウジング１０３に対して複数のガイドシャフト３１９及び弾性部材としての複数の圧縮コイルバネ３２１を介してハンマビット１１９の長軸方向に相対移動可能に連結された防振ハンドルとして構成されている。具体的には、本体ハウジング１０３は、上方ハウジング１０６をハンマビット１１９の長軸方向に案内するための断面円形のガイドシャフト３１９を有する。ガイドシャフト３１９は、本体ハウジング１０３の外側の前後左右の４か所に配置されている。上方ハウジング１０６の内側には、スライド筒部３２３が設けられ、このスライド筒部３２３がガイドシャフト３１９に摺動可能に嵌合されている。そして、圧縮コイルバネ３２１がガイドシャフト３１９の外周を囲むように配置されている。圧縮コイルバネ３２１は上方ハウジング１０６と本体ハウジング１０３を弾発状に接続する部材として備えられる。なお、外側ハウジング１０５のうち下方ハウジング１０７は、本体ハウジング１０３に固定される。従って、蛇腹１０８は、伸縮することで上方ハウジング１０６と下方ハウジング１０７との相対移動を許容する部材として備えられる。
【００２４】
また、上方ハウジング１０６の前側の壁を構成する第３ハウジング要素１０６ｃ及び後側の壁を構成する第４ハウジング要素１０６ｄの外面には、ハンマビット１１９の長軸方向に延在する帯状のプロテクター５７５が当該第３ハウジング要素１０６ｃ及び第４ハウジング要素１０６ｄの外表面の一部を覆うように固定状に設けられている。プロテクター５７５は、エラストマ製であり、ハンマビット１１９の長軸方向と交差する方向に関して、所定間隔を置いて２個並設されており、第３ハウジング要素１０６ｃ及び第４ハウジング要素１０６ｄの外表面から外向きに所定高さで突出する。すなわち、プロテクター５７５は、電動ハンマ１００が横倒し状態に置かれたときに、外側ハウジング１０５が地面に当接する前に地面に当接することで上方ハウジング１０６を保護する保護部材として備えられる。
【００２５】
ハンドグリップ５００は、図５に示すように、内部に中空部を有する合成樹脂製の長尺状の円筒状部材であり、ハンマビット１１９の長軸方向に交差する方向に延在している。一対のハンドグリップ５００のうち一方のハンドグリップ５００が、外側ハウジング１０５の第１ハウジング要素１０６ａに取り付けられ、他方のハンドグリップ５００が外側ハウジング１０５の第２ハウジング要素１０６ｂに取り付けられる。そして、一方のハンドグリップ５００には、電動モータ１１０の駆動及び停止を操作するための電気スイッチ５１０と、当該電気スイッチ５１０をオン・オフ操作するトリガ５２０が設けられている。トリガ５２０は、ハンドグリップ５００に所定の支点５２５を回動中心としてハンドグリップ５００の長軸方向と交差する方向に回動操作可能に設けられており、非操作時には、電気スイッチ５１０に内蔵された図示省略の内蔵バネの付勢力によりハンドグリップ５００の外面から外側に突出した位置に保持されている。そして、トリガ５２０は、作業者の手指で押圧されてハンドグリップ５００の内側に向けて回動され、電気スイッチ５１０をオン状態に切り替えたときに、電動モータ１１０が駆動されるように構成される。
【００２６】
電動モータ１１０は、交流（ＡＣ）電源からの給電によって駆動される構成である。この電動モータ１１０が、本発明における「モータ」に対応する実施構成例である。図５及び図６に示すように、電動モータ１１０は、当該電動モータ１１０のモータ軸１１１がハンマビット１１９の長軸方向に延在する長軸線に対しては交差し、ハンドグリップ５００の長軸方向に延在する長軸線に対しては平行に配置されている。電動モータ１１０の回転は、第１運動変換機構１２０によって直線運動に変換された上で打撃要素１４０に伝達され、当該打撃要素１４０を介してハンマビット１１９を長軸方向（図１における下方向）に打撃する。また、電動モータ１１０の回転は、第２運動変換機構２２０によって直線運動に適宜変換された上でカウンターウェイト２３１に伝達され、ハンマビット１１９の打撃に伴う衝撃力の発生タイミングに対応させて当該カウンターウェイト２３１に長軸方向への直線運動を行なわせる。これにより、電動ハンマ１００に生ずる振動を抑制するように作用する。
【００２７】
第１運動変換機構１２０は、図６に示すように、電動モータ１１０の下方に配置される第１クランク軸１２１、第１連接ロッド１２３、ピストン１２５等からなる第１クランク機構によって構成される。第１運動変換機構１２０は、複数のギアからなるギア減速機１１３を介して電動モータ１１０により駆動される。ピストン１２５は、打撃要素１４０を駆動する駆動子を構成する。ピストン１２５は、シリンダ１４１内をハンマビット１１９の長軸方向に摺動可能とされる。なお、第１クランク軸１２１は、電動モータ１１０のモータ軸１１１と平行に配置されている。また、第１クランク軸１２１には、第１連接ロッド１２３と相対回動可能に連結する偏心軸部１２１ａが一体に形成されている。
【００２８】
打撃要素１４０は、図５に示すように、打撃子としてのストライカ１４３と、中間子としてのインパクトボルト１４５とを主体として構成される。ストライカ１４３は、シリンダ１４１内に摺動自在に配置される。インパクトボルト１４５は、ツールホルダ１３１内に摺動自在に配置されるとともに、ストライカ１４３の運動エネルギをハンマビット１１９に伝達する。シリンダ１４１は、ツールホルダ１３１の上方に同心状に配置されるとともに、ピストン１２５及びストライカ１４３によって仕切られる空気室１４１ａを有する。ストライカ１４３は、ピストン１２５の摺動動作に伴う空気室１４１ａの空気ばねを介して駆動され、インパクトボルト１４５に衝突し、当該インパクトボルト１４５を介してハンマビット１１９を打撃する。
【００２９】
第２運動変換機構２２０は、図６及び図８に示すように、第２クランク軸２２１、偏心軸２２３、第２連接ロッド２２５等からなる第２クランク機構によって構成される。第２クランク軸２２１は、第１クランク機構のクランク軸１２１の軸線の延長線上に配置され、当該第１クランク軸１２１の偏心軸部１２１ａによって回転される。偏心軸２２３は、第２クランク軸２２１の回転中心から径方向に所定量だけシフトした位置に当該第２クランク軸２２１に平行に配置されている。第２連接ロッド２２５は、一端側が偏心軸２２３に対して当該偏心軸周りに相対回動可能に連結されるとともに、他端側がカウンターウェイト２３１に設けた連結軸２３３に対して当該連結軸周りに相対回動可能に連結されている。なお、連結軸２３３は、偏心軸２２３に対して平行に配置されている。カウンターウェイト２３１は、シリンダ１４１の外側に摺動可能に嵌合された筒状部材として備えられ、第２クランク機構を介してハンマビット１１９に最も近接する前方位置と、ハンマビット１１９から最も離間する後方位置との間で直線往復運動する。
【００３０】
第２クランク軸２２１は、内側クランク軸２２７と外側クランク軸２２９によって構成される。内側クランク軸２２７は、筒状の軸部２２７ａと軸部２２７ａの軸方向一端側に径方向外側に張り出すフランジ部２２７ｂを有する。外側クランク軸２２９は、筒状の軸部２２９ａと軸部２２９ａの軸方向一端側に径方向外側に張り出すフランジ部２２９ｂを有する。内側クランク軸２２７と外側クランク軸２２９は、内側クランク軸２２７のフランジ部２２７ｂと外側クランク軸２２９のフランジ部２２９ｂが互いに反対側に位置した状態で互いの軸部２２７ａ，２２９ａが嵌合されて一体化される。すなわち、内側クランク軸２２７と外側クランク軸２２９は、互いの軸部２２７ａ，２２９ａが同軸上において径方向の内外に配置された構成とされる。そして、内側クランク軸２２７は、フランジ部２２７ｂに形成された連結孔２２７ｃに第１クランク機構の第１クランク軸１２１の偏心軸部１２１ａが嵌入されて相対回動可能に連結される。外側クランク軸２２９のフランジ部２２９ｂには、偏心軸２２３が設けられ、この偏心軸２２３が第２連接ロッド２２５に相対回動可能に連結される。すなわち、第２クランク軸２２１は、動力伝達の流れから見た場合、駆動側となる内側クランク軸２２７と、被動側となる外側クランク軸２２９によって構成される。
【００３１】
第２クランク軸２２１は、第１クランク軸１２１の軸線の延長線上に配置されるとともに、外側クランク軸２２９の軸部２２９ａが軸受ホルダ２３５で支持されたニードルベアリング２３７によって回転可能に支持されている。軸受ホルダ２３５は、本体ハウジング１０３、具体的にはギアハウジング１０３Ｂによって支持されている。
【００３２】
図６に示すように、ギアハウジング１０３Ｂのうちシリンダ１４１の上端部に対応する部位には、シリンダ１４１の上端部の外側を取り囲む円筒状のシリンダ受け部２４１が形成されている。そして、このシリンダ受け部２４１とシリンダ１４１の外側上端部との間には、鉄製のシリンダ受け部材２４３が介在状に配置されている。シリンダ受け部材２４３は、円筒状部２４３ａと、当該円筒状部２４３ａの軸方向一端側に設けられた径方向外側に張り出す円形の外フランジ部２４３ｂと、軸方向他端側に設けられた径方向内側に張り出す円形の内フランジ部２４３ｃを有する鍔付き円筒状に形成されている。
【００３３】
シリンダ受け部材２４３は、円筒状部２４３ａがシリンダ受け部２４１の内側とシリンダ１４１の上端部の外側との間に嵌合された状態で介在され、当該嵌合状態において、外フランジ部２４３ｂがシリンダ受け部２４１の下端面に対して下方から当接され、内フランジ部２４３ｃがシリンダ１４１の上端面に対して上方から当接される。これにより、シリンダ１４１に作用する径方向の荷重と軸方向上向きの荷重がシリンダ受け部２４１によってそれぞれ支持される構成とされる。また、シリンダ受け部材３４３は、外フランジ部２４３ｂがギアハウジング１０３Ｂのシリンダ受け部２４１とバレル部１０４の軸方向端部とによって挟持される。
【００３４】
次に電動モータ１１０及び電動モータ１１０の駆動を制御するコントローラ５４１を冷却するための冷却装置につき、主として図１〜図４及び図６、図９〜図１１を参照しつつ説明する。冷却装置は、空気の流れで冷却する空冷式であり、電動モータ１１０のモータ軸１１１に取り付けられた冷却ファン５５０を主体として構成される。冷却ファン５５０が、本発明における「冷却ファン」に対応する実施構成例である。
【００３５】
本体ハウジング１０３の外側を、当該本体ハウジング１０３に対してハンマビット１１９の長軸方向に相対移動可能な外側ハウジング１０５によって覆う二重構造のハウジングにおいては、本体ハウジング１０３の外面と当該本体ハウジング１０３の外側を覆う外側ハウジング１０５の内面との間には空間Ｓが形成される。以下、この空間をハウジング内部空間Ｓという。冷却ファン５５０は、回転することでハウジング内部空間Ｓ及びモータハウジング１０３Ａ内に空気の流れを発生させる。図１〜図４及び図６には、空気（冷却風）の流れが矢印で示される。ハウジング内部空間Ｓ及びモータハウジング１０３Ａ内に生じる空気の流れが、本発明の「冷却風」に対応する実施構成例である。
【００３６】
冷却ファン５５０として、遠心ファンが用いられている。図６に示すように、冷却ファン５５０が回転駆動されることによってモータハウジング１０３Ａ内に流入された空気、すなわち冷却風は、遠心力で冷却ファン５５０の軸方向と交差する方向へと流出された後、モータハウジング１０３Ａに取り付けられたバッフルプレート５５１によって流れの方向が変えられて軸方向に流出する。なお、コントローラ５４１は、図６に示すように、ハウジング内部空間Ｓのうち電気スイッチ５１０に近い領域に配置されており、電動モータ１１０よりも下方に位置する。このコントローラ５４１が、本発明における「コントローラ」に対応する実施構成例である。
【００３７】
長方形の筒状に形成された外側ハウジング１０５には、図１〜図４に示すように、外側ハウジング１０５の外側の空気（以下、外気という）をハウジング内部空間Ｓに吸い込むためのモータ用の吸込み口５５３Ａ及びコントローラ用の吸込み口５５３Ｂと、ハウジング内部空間Ｓ内の冷却風を外側ハウジング１０５の外側に排出する複数の吹出し口５５５Ａ，５５５Ｂが設けられている。
【００３８】
吸込み口５５３Ａ，５５３Ｂは、モータ用及びコントローラ用として個別に設けられている。モータ用の吸込み口５５３Ａは、上方ハウジング１０６の周壁を構成する前後左右の壁のうち、電動モータ１１０の軸線方向の一端側に対向する位置の左側の壁、すなわち第１ハウジング要素１０６ａに設けられる。コントローラ用の吸込み口５５３Ｂは、コントローラ５４１に対向する位置の下方ハウジング１０７に設けられる。すなわち、モータ用の吸込み口５５３Ａとコントローラ用の吸込み口５５３Ｂは、外側ハウジング１０５の周壁に関して、ハンマビット１１９の長軸線と、当該長軸線に交差し、かつハンドグリップ５００の長軸方向に延在する軸線に交差する方向に延在する交差軸線とを含む面に形成されている。モータ用の吸込み口５５３Ａが、本発明における「第１吸込み口」に対応し、コントローラ用の吸込み口５５３Ｂが、本発明における「第２吸込み口」に対応する実施構成例である。
【００３９】
吹出し口５５５Ａ，５５５Ｂは、上方ハウジング１０６の周壁を構成する前後左右の壁のうち右側の壁、すなわち第２ハウジング要素１０６ｂと下方ハウジング１０７に設けられる。そして、一方の吹出し口５５５Ａは、モータ用の吸込み口５５３Ａに対向する位置に設けられ、他方の吹出し口５５５Ｂは、コントローラ用の吸込み口５５３Ｂに対向する位置、換言すれば、ギアハウジング１０３Ｂの外面と対向する位置に設けられる。すなわち、複数の吹出し口５５５Ａ，５５５Ｂは、ハンマビット１１９の長軸方向に関して所定の間隔を置いて設けられている。吹出し口５５５Ａ，５５５Ｂが、本発明における「吹出し口」に対応する実施構成例である。
【００４０】
モータハウジング１０３Ａには、図９に示すように、モータ軸１１１の軸方向一端側には吸入口５５７が形成され、図６に示すように、モータ軸１１１の軸方向他端側には排出口５５９が形成されている。この排出口５５９が、本発明における「排出口」に対応する実施構成例である。
【００４１】
図６に矢印で示すように、冷却ファン５５０が回転されることで外気が吸込み口５５３Ａ，５５３Ｂからそれぞれハウジング内部空間Ｓ内に流入される。モータ用の吸込み口５５３Ａからハウジング内部空間Ｓへと流入した冷却風は、モータハウジング１０３Ａの吸入口５５７からモータハウジング１０３Ａ内に流入される。そして、当該モータハウジング１０３Ａ内を軸方向に流れることで電動モータ１１０を冷却し、排出口５５９からハウジング内部空間Ｓへと排出される。一方、コントローラ用の吸込み口５５３Ｂからハウジング内部空間Ｓへと流入された冷却風は、コントローラ５４１の側方を流れることで当該コントローラ５４１を冷却した後、モータ用の吸込み口５５３Ａからハウジング内部空間Ｓへと流入した冷却風と合流し、モータハウジング１０３Ａ内に吸入される。モータハウジング１０３Ａの排出口５５９からハウジング内部空間Ｓへと排出された冷却後の冷却風は、モータハウジング１０３Ａの排出口５５９に対向する吹出し口５５５Ａから外部へ排出され、或いは一部がギアハウジング１０３Ｂの外面に沿って下方へ流れ、ギアハウジング１０３Ｂに対向する吹出し口５５５Ｂから外部へ排出される。
【００４２】
ところで、モータハウジング１０３Ａの吸入口５５７と排出口５５９は、ハウジング内部空間Ｓより連通されている。このため、モータハウジング１０３Ａの排出口５５９からハウジング内部空間Ｓへと排出されたモータ冷却後の冷却風がハウジング内部空間Ｓを通じてモータハウジング１０３Ａの吸入口５５７側へ流れる可能性がある。このような冷却風の流れは、冷却性能を悪化する。
【００４３】
そこで、かかる冷却風の排出口側から吸入口側への流れをせき止めるために、モータハウジング１０３Ａと外側ハウジング１０５の上方ハウジング１０６の間に、ハウジング内部空間Ｓを吸入口側領域と排出口側領域とに仕切る仕切り壁５６０を配置している。この仕切り壁５６０が、本発明における「仕切り壁」に対応する実施構成例である。仕切り壁５６０は、排出口５５９に隣接して配置されており、排出口５５９から排出された冷却風の排出口側から吸入口側への流れをせき止め、排出口５５９から吹出し口５５５への冷却風の流動を促進するように構成される。以下、排出口５５９に隣接して配置される仕切り壁５６０につき、図９〜図１１を参照しつつ説明する。
【００４４】
図９は上方ハウジング１０６を構成する複数のハウジング要素のうち、左側の壁を構成する第１ハウジング要素１０６ａを取り外した状態の左側面図であり、本体ハウジング１０３をモータハウジング１０３Ａの吸入口側から見た図である。図１０は上方ハウジング１０６を構成する複数のハウジング要素のうち、モータハウジング１０３Ａの排出口５５５に対向する右側の壁を構成する第２ハウジング要素１０６ｂを取り外した状態の斜視図であり、モータハウジング１０３Ａの排出口側を主体に示している。図１１は図９のＢ−Ｂ線断面図である。
【００４５】
モータハウジング１０３Ａに形成される排出口５５９は、図１０及び図１１に示すように、モータ冷却後の冷却風を電動モータ１１０の軸方向に流出させるように、当該モータハウジング１０３Ａの軸方向端部に開口される。具体的には、本実施形態の場合、排出口５５９は、モータハウジング１０３Ａの一部を構成するカバー部材１３３と、当該カバー部材１３３の周りのうち上方側、すなわち電動モータ１１０を挟んでギアハウジング１０３Ｂの反対側を取り囲むように配置される半円状の筒状部１３５との間に形成されている。なお、カバー部材１３３は、モータ軸１１１の一端部及びギア減速機１１３を覆う部材である。
【００４６】
排出口５５９に隣接して配置される仕切り壁５６０は、大別して、ハウジング内部空間Ｓにつき、上下方向（ハンマビット１１９の長軸方向）に関して、上方領域と下方領域とに仕切る第１仕切り壁５６０Ａと、当該第１仕切り壁５６０Ａで仕切られた下方領域を更に排出口側領域と吸入口側領域とに仕切る第２仕切り壁５６０Ｂとで構成される。第１仕切り壁５６０Ａは、モータ軸１１１の長軸方向に延在する仕切りであり、モータハウジング１０３Ａに形成される半円状の筒状部１３５及び第１リブ５６１と、上方ハウジング１０６に形成される第２リブ５６２及び第３リブ５６３を主体として構成される。第２仕切り壁５６０Ｂは、モータ軸１１１の長軸方向と交差する方向に延在する仕切りであり、モータハウジング１０３Ａに形成される第４リブ５６４と、上方ハウジング１０６に形成される第５リブ５６５を主体として構成される。
【００４７】
半円状の筒状部１３５は、図１０及び図１１に示すように、排出口５５９の周りを囲むようにモータ軸１１１の軸方向に延在する部材として備えられる。第１リブ５６１は、筒状部１３５の外周面のうち左側部及び右側部からモータ軸１１１の軸方向及び軸方向と交差する径方向に突出する平板状のリブとして備えられる。半円状の筒状部１３５及び第１リブ５６１は、モータハウジング１０３Ａのうち、排出口５５９の側方領域に一体に形成される。
【００４８】
第２リブ５６２は、図１０に示すように、上方ハウジング１０６を構成する複数のハウジング要素のうち、モータハウジング１０３Ａの排出口５５９に対向する右側の壁を構成する第２ハウジング要素１０６ｂに形成されている。第２リブ５６２は、第２ハウジング要素１０６ｂの内面からモータ軸１１１の軸方向に突出している。第２リブ５６２は、筒状部１３５に対応する円弧状領域５６２ａと、第１リブ５６１に対応する平板状領域５６２ｂを有する。
【００４９】
第３リブ５６３は、上方ハウジング１０６を構成する複数のハウジング要素のうち、前側の壁を構成する第３ハウジング要素１０６ｃ及び後側の壁を構成する第４ハウジング要素１０６ｄに形成されている。第３リブ５６３は、図１０に示すように、モータ軸１１１の軸方向及び軸方向と交差する方向に突出する平板状のリブであり、モータハウジング１０３Ａの第１リブ５６１に対向している。すなわち、排出口５５９の側方領域に向かって突出している。
【００５０】
そして、第１仕切り壁５６０Ａについては、モータ軸１１１の軸方向に関して、第２リブ５６２の円弧状領域５６２ａが筒状部１３５に所定の隙間を置いて近接した状態で対向し、第２リブ５６２の平板状領域５６２ｂが第１リブ５６１に所定の隙間を置いて近接した状態で対向する。図１１には第２リブ５６２の円弧状領域５６２ａが筒状部１３５に近接して対向している状態が示される。また、モータ軸１１１の軸方向と交差する方向に関して、第３リブ５６３の突出端面が第１リブ５６１の端面に所定の隙間を置いて近接した状態で対向している。また、この第３リブ５６３は、モータ軸１１１の軸方向に関して、第２リブ５６２の平板状領域５６２ｂの端面に所定の隙間を置いて近接した状態で対向している。これにより、ハウジング内部空間Ｓが、排出口５５９側において排出口５５９を含まない上方領域と排出口５５９を含む下方領域とに仕切られる。
【００５１】
一方、図１０に示すように、第１仕切り壁５６０Ａよりも下方において、ハウジング内部空間Ｓを排出口側領域と吸入口側領域とに仕切る第２仕切り壁５６０Ｂは、モータハウジング１０３Ａに形成される第４リブ５６４と、上方ハウジング１０６に形成される第５リブ５６５で構成される。第４リブ５６４は、モータハウジング１０３Ａのうち、排出口５５９の側方領域外面からモータ軸１１１の軸方向に交差する方向に突出する平板状のリブとして備えられる。第５リブ５６５は、第４リブ５６４に向かって突出する平板状のリブとして備えられ、上方ハウジング１０６を構成する複数のハウジング要素のうち、前側の壁を構成する第３ハウジング要素１０６ｃ及び後側の壁を構成する第４ハウジング要素１０６ｄに形成されている。そして、第４リブ５６４と第５リブ５６５が、相互の突出端部が所定の隙間を置いて近接した状態で対向する。これにより、ハウジング内部空間Ｓの第１仕切り壁５６０Ａよりも下方の下方領域は、排出口側領域と吸入口側領域とに仕切られる。第４リブ５６４が、本発明における「突部」に対応し、第５リブ５６５が、本発明における「突部」に対応する実施構成例である。
【００５２】
すなわち、本実施形態においては、仕切り壁５６０の構成部材である半円状の筒状部１３５、第１リブ５６１及び第４リブ５６４については、モータハウジング１０３Ａのうち、排出口５５９の周りを囲む領域に形成されている。また、仕切り壁５６０の構成部材である第２リブ５６２、第３リブ５６３及び第５リブ５６５については、上方ハウジング１０６のうち、排出口５５９の周りを囲む領域に形成されている。これにより、仕切り壁５６０は、排出口５５９に隣接して配置された構成とされる。
【００５３】
なお、モータハウジング側のリブ端面と外側ハウジング側のリブ端面間に設定される隙間は、上方ハウジング１０６の本体ハウジング１０３に対するハンマビット１１９の長軸方向に相対移動を許容するために設定されるが、冷却風の流れをせき止めるという意味ではできるだけ小さいことが好ましい。
【００５４】
また、第４リブ５６４と第５リブ５６５は、モータハウジング１０３Ａに対向する吹出し口５５５Ａ側からギアハウジング１０３Ｂに対向する吹出し口５５５Ｂ側に向かって直線状に延在している。従って、モータハウジング１０３Ａとギアハウジング１０３Ｂが一体に形成される構成であれば、第４リブ５６４と第５リブ５６５は、モータハウジング１０３Ａとギアハウジング１０３Ｂに一体に形成される。これにより、第４リブ５６４と、第５リブ５６５は、排出口５５９から排出されるモータ冷却後の冷却風をギアハウジング１０３Ｂに対向する吹出し口５５５Ｂへと誘導する風誘導板としても機能する。
【００５５】
本実施形態に係る電動ハンマ１００は、上記のように構成されている。従って、作業者は、一対のハンドグリップ５００を左側と右側の手によりそれぞれ把持するとともに、ハンマビット１１９を下向きにした状態において、一方のハンドグリップ５００を把持した手指でトリガ５２０を押圧することにより電気スイッチ５１０をオン状態に切り替え、電動モータ１１０を駆動し、ハンマビット１１９を直線動作させて被加工材に対しハンマ作業を行うことができる。
【００５６】
電動モータ１１０が駆動され、冷却ファン５５０が回転されると、ハウジング内部空間Ｓ内に空気の流れが発生する。これにより、図１〜図４に矢印で示すように、外気が外側ハウジング１０５のモータ用の吸込み口５５３Ａとコントローラ用の吸込み口５５３Ｂからそれぞれハウジング内部空間Ｓへと流入する。そして、図５に矢印で示すように、モータ用の吸込み口５５３Ａを通してハウジング内部空間Ｓ内に流入した空気、すなわち冷却風は、モータハウジング１０３Ａの吸入口５５７を通ってモータハウジング１０３Ａ内に流入し、電動モータ１１０を冷却する。一方、コントローラ用の吸込み口５５３Ｂを通してハウジング内部空間Ｓ内に流入した空気、すなわち冷却風は、コントローラ５４１を冷却後、モータハウジング１０３Ａの吸入口５５７側に向かって流れ、モータ用の吸込み口５５３Ａを通して流入した空気と合流し、モータハウジング１０３Ａ内へと流入する。
【００５７】
モータハウジング１０３Ａ内に流入し、電動モータ１１０を冷却した冷却風は、モータハウジング１０３Ａの排出口５５９からハウジング内部空間Ｓへと排出された後、排出口５５９に対向する吹出し口５５５Ａから上方ハウジング１０６の外側へ排出される。また、一部の冷却風は、ハウジング内部空間Ｓを下方へと流れ、ギアハウジング１０３Ｂの側方を通ってコントローラ用の吸込み口５５３Ｂに対向する吹出し口５５５Ｂ側へと流れ、当該吹出し口５５５Ｂから外部へ排出される。
【００５８】
本実施形態によれば、排出口５５９に隣接して仕切り壁５６０を配置している。仕切り壁５６０は、ハウジング内部空間Ｓにつき、モータ軸１１１の軸方向に延在して上方領域と下方領域とに仕切る第１仕切り壁５６０Ａと、モータ軸１１１の軸方向と交差する方向に延在し、当該第１仕切り壁５６０Ａで仕切られた下方領域を更に排出口側領域と吸入口側領域とに仕切る第２仕切り壁５６０Ｂで構成されている。このため、排出口５５９から排出された冷却風は、モータハウジング１０３Ａの上方領域側への流れが第１仕切り壁５６０Ａによってせき止められる。また、排出口５５９から吸入口５５７側への冷却風の流れを第２仕切り壁５６０Ｂによってせき止められる。すなわち、排出口５５９からハウジング内部空間Ｓに排出された冷却風の、モータハウジング１０３Ａの吸入口５５７側に向かう流れを規制する。このため、冷却風の外側ハウジング１０５の吹出し口５５５Ａ，５５５Ｂへの流動が促進され、モータ冷却後の冷却風の排出性が向上する。
【００５９】
また、本実施形態によれば、第１仕切り壁５６０Ａの構成部材である筒状部１３５及び第１リブ５６１と、第２仕切り壁５６０Ｂの構成部材である第４リブ５６４がモータハウジング１０３Ａに一体に形成される構成である。このため、モータハウジング１０３Ａを製作する際、筒状部１３５、第１リブ５６１及び第４リブ５６４を同時に形成することができ、製作上の合理性が図られる。また、第１仕切り壁５６０Ａの構成部材である第２リブ５６２及び第３リブ５６３と、第２仕切り壁５６０Ｂの構成部材である第５リブ５６５が上方ハウジング１０６に一体に形成される構成である。このため、上方ハウジング１０６を製作する際、第２リブ５６２、第３リブ６５４及び第５リブ５６５を同時に形成することができ、製作上の合理性が図られる。また、第１リブ５６１及び第４リブ５６４は、モータハウジング１０３Ａの強度を補強する部材としても機能する。第２リブ５６２、第３リブ５６３及び第５リブ５６５は、上方ハウジング１０６の強度を補強する部材としても機能する。
【００６０】
また、本実施形態によれば、外側ハウジング１０５にモータ用の吸込み口５５３Ａとは別にコントローラ用の吸込み口５５３Ｂを設けている。このため、コントローラ５４１を電動モータ１１０とは別個に冷却することができる。
【００６１】
また、本実施形態によれば、第２仕切り壁５６０Ｂを構成する第４リブ５６４と第５リブ５６５は、モータハウジング１０３Ａに対向する吹出し口５５５Ａ側からギアハウジング１０３Ｂに対向する吹出し口５５５Ｂ側に向かって直線状に延在する構成としている。これにより、排出口５５９から排出されるモータ冷却後の冷却風を、吸入口５５７側への流動をせき止めつつ、ギアハウジング１０３Ｂに対向する吹出し口５５５Ｂへと誘導することができる。
【００６２】
また、本実施形態によれば、カウンターウェイト２３１を駆動する第２運動変換機構２２０において、第２クランク軸２２１につき、内側クランク軸２２７の軸部２２７ａと外側クランク軸２２９の軸部２２９ａが同軸上において径方向内外に配置されて互いに固定され、外側に配置された外側クランク軸２２９の軸部２２９ａがニードルベアリング２３７によって支持される構成としたことでニードルベアリング２３７を小型化することが可能となる。
【００６３】
また、本実施形態によれば、ギアハウジング１０３Ｂとシリンダ１４１との間には、鉄製のシリンダ受け部材２４３が介在状に配置し、シリンダ１４１に作用する径方向の荷重と軸方向上向きの荷重をシリンダ受け部２４１によって支持する構成としている。これにより、堅牢なシリンダ支持構造が構築される。
【００６４】
（本発明の第２実施形態）
次に本発明の第２実施形態につき、図１２〜図１７を参照しつつ説明する。本実施形態は、第１実施形態に係る第４リブ５６４と第５リブ５６５で構成される第２仕切り壁５６０Ｂにおいて、第４リブ５６４の端面と第５リブ５６５の端面間に設定される隙間をシール部材５７０によって塞ぐように構成したものである。この構成以外については、第１実施形態と同様に構成されるため、同一構成部材については同一符号を付して説明を省略又は簡略にする。
【００６５】
シール部材５７０は、エラストマ製であり、上方ハウジング１０６の周壁を構成する複数のハウジング要素のうち前側と後側の壁を構成する第３ハウジング要素１０６ｃ及び第４ハウジング要素１０６ｄの内側にそれぞれ配置される。シール部材５７０は、第３ハウジング要素１０６ｃの第５リブ５６５及び第４ハウジング要素１０６ｄの第５リブ５６５にそれぞれ固定状に取付けられている。第５リブ５６５に取付けられたシール部材５７０は、図１４に示すように、モータハウジング１０３の第４リブ５６４に向かって延在し、延在端部が第４リブ５６４の端部に被さり、これにより第４リブ５６４の端面と第５リブ５６５の端面間の隙間を塞ぐ構成としている。このシール部材５７０が、本発明における「シール部材」に対応する実施構成例である。
【００６６】
シール部材５７０のうち第４リブ５６４の端部に被さる領域は、図１４及び図１５に示すように、薄肉のリップ部５７３とされる。このリップ部５７３が、本発明における「リップ部」に対応する実施構成例である。リップ部５７３は、第５リブ５６５に固定されるシール本体部５７１よりも薄肉に形成されている。このようにリップ部５７３を薄肉に形成することにより、当該リップ部５７３で第４リブ５６４の端部を押し付けるように設定するとき、その押付け力を軽減することが可能となる。
【００６７】
なお、第１実施形態で説明したように、第３ハウジング要素１０６ｃと第４ハウジング要素１０６ｄ同士は、同一形状に形成されている。これは、製作コストを低下するとともに、組付け性を考慮した設定であり、従って、第５リブ５６５及びシール部材５７０は、共にモータハウジング１０３Ａのうち排出口５５９側のみならず、吸入口５５７側にも同様に形成されている。
【００６８】
また、本実施形態では、図１６、図１７に示すように、第３ハウジング要素１０６ｃの外側に配置されるプロテクター５７５と第３ハウジング要素１０６ｃの内側に配置されるシール部材５７０が、第３ハウジング要素１０６ｃを挟んで対向状に配置される。そして、プロテクター５７５とシール部材５７０は、第３ハウジング要素１０６ｃの壁面を貫通状に延在するエラストマ製の連絡部５７７によって互いに連結された構成とされる。また、第４ハウジング要素１０６ｄの外側に配置されるプロテクター５７５と第４ハウジング要素１０６ｄの内側に配置されるシール部材５７０が、第４ハウジング要素１０６ｄを挟んで対向状に配置される。そして、プロテクター５７５とシール部材５７０は、第４ハウジング要素１０６ｄの壁面を貫通状に延在するエラストマ製の連絡部５７７によって互いに連結された構成とされる。連絡部５７７は、第３ハウジング要素１０６ｃ及び第４ハウジング要素１０６ｄに形成されたハンマビット１１９の長軸方向に交差する方向に延在する貫通孔５７９に貫通状に位置している。
【００６９】
なお、図１６及び図１７においては、シール部材５７０及びプロテクター５７５について、便宜上、左下方に傾斜する斜線を付して第３ハウジング要素１０６ｃ及び第４ハウジング要素１０６ｄとの区別を明らかにしている。
【００７０】
なお、プロテクター５７５とシール部材５７０とは、成形型（図示省略）を用いてのインサート成形等によって成形される。すなわち、所定形状に形成された成形型内に第３ハウジング要素１０６ｃ又は第４ハウジング要素１０６ｄをセット後、当該成形型に液状のエラストマを充填し、固化することによって成形されるが、その成形時において、プロテクター５７５とシール部材５７０は、連絡部５７７によって相互に連結される。これによりプロテクター５７５とシール部材５７０が一体に形成された構成とされる。
【００７１】
本実施形態によれば、互いに対向する第４リブ５６４と第５リブ５６５の端面間の隙間をシール部材５７０によって塞ぐ構成としている。このため、電動モータ１１０を冷却後、モータハウジング１０３Ａの排出口５５９からハウジング内部空間Ｓに排出された冷却風が、リブ相互の端面間の隙間を通じて吸入口５５７側に流れることを防止できる。これにより冷却風の外側ハウジング１０５の吹出し口５５５Ａ，５５５Ｂからの排出性をより向上することができる。
【００７２】
また、本実施形態によれば、シール部材５７０のうち第４リブ５６４の端部に被さる領域を設定し、当該領域を第５リブ５６５に取付けられるシール本体部よりも薄肉のリップ部５７３によって構成している。このように構成したことにより、第４リブ５６４の端部に対するリップ部５７３の押圧力を軽減することが可能となり、上方ハウジング１０６の本体ハウジング１０３に対するハンマビット１１９の長軸方向の相対移動を害することがない。
【００７３】
また、本実施形態によれば、第３ハウジング要素１０６ｃに関して、外側に配置されるプロテクター５７５と内側に配置されるシール部材５７０が、壁面を貫通状に延在する連絡部５７７によって互いに連結されている。また、第４ハウジング要素１０６ｄに関して、外側に配置されるプロテクター５７５と内側に配置されるシール部材５７０が、壁面を貫通状に延在する連絡部５７７によって互いに連結されている。このため、プロテクター５７５及びシール部材５７０の第３ハウジング要素１０６ｃ及び第４ハウジング要素１０６ｄからの脱落を効果的に防止することができる。
【００７４】
（本発明の第３実施形態）
次に本発明の第３実施形態につき、図１８〜図２４を参照しつつ説明する。本実施形態は、ハウジング内部空間Ｓを排出口側領域と吸入口側領域とに仕切る仕切り壁につき、モータハウジング１０３Ａに取り付けられ、当該モータハウジング１０３Ａの排出口５５９から排出された冷却風を上方ハウジング１０６の吹出し口５５５Ａへと導くダクト５８０によって構成したものである。このダクト５８０が、本発明における「仕切り壁」及び「組付け部材」に対応する実施構成例である。以下、ダクト５８０につき説明する。
【００７５】
ダクト５８０は、図１８〜図２１に示すように、平板部５８１及び当該平板部５８１の周縁から当該平板部５８１に交差状に延在する周壁部５８３を有する略皿形に形成されている。ダクト５８０は、モータハウジング１０３Ａのカバー部材１３３及び筒状部１３５を外側から所定の空間を置いて覆うように配置され、これによりハウジング内部空間Ｓを排出口側領域と吸入口側領域に仕切る構成とされる。図２２はモータハウジング１０３Ａにダクト５８０が取り付けられる前の状態を示し、図２３はモータハウジング１０３Ａにダクト５８０が取り付けられた状態を示している。なお、ダクト５８０は、モータハウジング１０３Ａにネジ（図示省略）等の止着手段によって取外し可能に取り付けられる。
【００７６】
図１８に示すように、ダクト５８０の平板部５８１には、カバー部材１３３の軸方向端部と対向する領域に内向きに突出する縁部５８１ｂを有する略円形の孔５８１ａが形成されている。また、ダクト５８０の周壁部５８３は、周壁部５８３のうちギアハウジング１０３Ｂとの対向する側が開放されている。図２４にはモータハウジング１０３Ａに取り付けられたダクト５８０が断面で示される。ダクト５８０がモータハウジング１０３Ａに取り付けられた状態では、平板部５８１の孔５８１ａの縁部５８１ｂがカバー部材１３３の外周面に対して所定の隙間を置いて近接状に対向する。この隙間は、排出口５５９からダクト５８０内に排出された冷却風のダクト５８０の内側から外側への流出を抑える上では、できるだけ小さいことが好ましい。
【００７７】
また、図２０及び図２１に示すように、周壁部５８３のうち平板部５８１の反対側の端面には、内向きに突出するフランジ部５８５が形成されている。図２４に示すように、フランジ部５８５は、ダクト５８０が取付けられた状態において、当該フランジ部５８５の突出端面がモータハウジング１０３Ａにおける筒状部１３５の外面及びカバー部材１３３の外面に当接し、これにより排出口５５９からダクト５８０内に排出された冷却風がハウジング内部空間Ｓの吸入口側領域へ流出することを抑える。そして、ダクト５８０の周壁部５８３には、冷却風をダクト５８０の外側へ排出するための流出口５８７が形成されている。この流出口５８７は、上方ハウジング１０６の第２ハウジング要素１０６ｂに形成された吹出し口５５５Ａと対向する領域に当該吹出し口５５５Ａに近接して対向するように設定される。なお、図２３では上方ハウジング１０６の第２ハウジング要素１０６ｂが取り外された状態が示される。ダクト５８０がモータハウジング１０３Ａに取り付けられた状態では、平板部５８１とフランジ部５８５がモータ軸１１１の軸方向と交差する方向に延在し、周壁部５８３がモータ軸１１１の軸方向に延在する。平板部５８１とフランジ部５８５が、本発明における「軸方向交差壁」に対応し、周壁部５８３が、本発明における「軸方向延在壁」に対応する実施構成例である。
【００７８】
本実施形態に係るダクト５８０は、上記のように構成されている。従って、冷却ファンが回転することで電動モータ１１０を冷却した冷却風は、モータハウジング１０３Ａの排出口５５９からダクト５８０内に排出される。ダクト５８０内に排出された冷却風は、排出口５５９に対向する平板部５８１で流れの方向が転換され、周壁部５８３側へと流れ、そして流出口５８７から上方ハウジング１０６の吹出し口に向かって流出する。
【００７９】
このように、本実施の形態によれば、排出口５５９から排出された冷却風をダクト５８０により上方ハウジング１０６の吹出し口５５５Ａへ誘導する構成であり、排出口５５９から排出された冷却風の、ハウジング内部空間Ｓの排出口側領域から吸入口側領域へと向かう流れが効果的に抑えられ、冷却風の吹出し口５５５Ａからの排出性が向上する。これにより、電動モータ１１０の冷却性能を高めることができる。
【００８０】
また、本実施形態によれば、ダクト５８０がモータハウジング１０３Ａとは別部材として構成されるため、形状等を設定する場合の自由度が高い。
【００８１】
なお、第１実施形態では、モータハウジング１０３Ａと外側ハウジング１０５の上方ハウジング１０６とのそれぞれに仕切り用リブを設定したが、モータハウジング１０３Ａと外側ハウジング１０５のうちいずれか一方にのみ仕切り用リブを設定してもよい。
【００８２】
また、第１実施形態では、仕切り壁５６０につき、ハンマビット１１９の長軸方向、すなわち上下方向に関して、ハウジング内部空間Ｓを上方領域と下方領域とに仕切る第１仕切り壁５６０Ａと、当該第１仕切り壁５６０Ａで仕切られた下方領域を更に排出口側領域と吸入口側領域とに仕切る第２仕切り壁５６０Ｂとで構成されるとしたが、仕切り壁５６０については、ハンマビット１１９の長軸方向と交差する方向に延在するリブによって第１仕切り壁５６０Ａよりも後方の後方領域を含むハウジング内部空間Ｓを排出口側領域と吸入口側領域とに仕切るように構成してもよい。
【００８３】
また、上述した実施形態は、打撃工具の例として、電動ハンマの場合で説明したが、ハンマビット１１９に長軸方向の直線動作と長軸方向周りの回転を行なわせるハンマドリルに適用してもよい。
【００８４】
なお、本発明の趣旨に鑑み、以下の如き態様を構成することができる。
（態様１）
「先端工具を少なくとも長軸方向に駆動して所定の作業を行う打撃工具であって、
前記先端工具を駆動するための第１クランク機構と、
前記先端工具の長軸方向に移動可能なカウンターウェイトと、
前記カウンターウェイトを駆動するための第２クランク機構と、を有し、
前記第１クランク機構は、
所定の軸線周りに回転可能な第１クランク軸と、
前記第１クランク軸の軸線から径方向に所定の距離を置いた位置に配置される第１偏心軸と、を有し、
前記第２クランク機構は、
前記第１クランク軸の軸線の延長線上で回転可能な第２クランク軸と、
前記第２クランク軸の軸線から径方向に所定の距離を置いた位置に配置される第２偏心軸と、を有し、
前記第２クランク軸は、
前記第１偏心軸が連結可能な駆動側クランク軸と、
前記第２偏心軸が設けられた被動側クランク軸と、を有し、
前記駆動側クランク軸と前記被動側クランク軸が同軸上において径方向内外に配置されて互いに固定され、外側に配置されたクランク軸が軸受によって回転自在に支持されていることを特徴とする打撃工具。」
【００８５】
この態様によれば、駆動側クランク軸と被動側クランク軸が同軸上において径方向内外に配置されて互いに固定され、外側に配置されたクランク軸が軸受によって支持される構成としたことで軸受を小型化することが可能となる。
【００８６】
（態様２）
「先端工具を少なくとも長軸方向に駆動して所定の作業を行う打撃工具であって、
工具本体部と、
前記工具本体部に収容されるシリンダと、
前記シリンダ内を移動して当該先端工具を打撃する打撃子と、
前記シリンダと前記工具本体との間に介在状に配置されるシリンダ受け部材と、を有し、
前記シリンダ受け部材は、鉄製であり、前記シリンダに作用する前記ハンマビットの長軸方向の荷重と、当該長軸方向に交差する方向の荷重を支持する構成されていることを特徴とする打撃工具。」
【００８７】
この態様２によれば、シリンダを当該シリンダと工具本体部との間に介在状に配置した鉄製のシリンダ受け部材で支持する構成としたことにより、堅牢なシリンダ支持構造が構築される。
【００８８】
（実施形態の各構成要素と本発明の構成要素との対応関係）
本実施形態における各構成要素と、本発明における構成要素との発明特定事項との関係は、以下のとおりである。もちろん、本実施形態における各構成要素は、対応する本発明の特定事項に関する一つの実施構成例に過ぎず、本発明の各構成要素はこれに限定されるものではない。
電動ハンマ１００が、本発明の「打撃工具」に対応する構成の一例である。
ハンマビット１１９が、本発明の「先端工具」に対応する構成の一例である。
電動モータ１１０が、本発明の「モータ」に対応する構成の一例である。
冷却ファン５５０が、本発明における「冷却ファン」に対応する構成の一例である。
ハンドル５００が、本発明の「ハンドル」に対応する構成の一例である。
モータハウジング１０３Ａが、本発明の「モータハウジング」に対応する構成の一例である。
外側ハウジング１０５が、本発明の「モータハウジング」に対応する構成の一例である。
排出口５５９が、本発明の「排出口」に対応する構成の一例である。
吹出し口５５５Ａ，５５５Ｂが、本発明の「吹出し口」に対応する構成の一例である。
モータ用の吸込み口５５３Ａが、本発明の「第１吸込み口」に対応する構成の一例である。
コントローラ用の吸込み口５５３Ｂが、本発明の「第２吸込み口」に対応する構成の一例である。
仕切り壁５６０が、本発明の「仕切り壁」に対応する構成の一例である。
第４リブ５６４が、本発明の「突部」に対応する構成の一例である。
第５リブ５６５が、本発明の「突部」に対応する構成の一例である。
シール部材５７０が、本発明の「シール部材」に対応する構成の一例である。
シール本体部５７１が、本発明の「シール本体部」に対応する構成の一例である。
リップ部５７３が、本発明の「リップ部」に対応する構成の一例である。
ダクト５８０が、本発明の「仕切り壁」及び「組付け部材」に対応する構成の一例である。
平板部５８１とフランジ部５８５が、本発明の「軸方向交差壁」に対応する構成の一例である。
周壁部５８３が、本発明における「軸方向延在壁」に対応する構成の一例である。
【符号の説明】
【００８９】
１００  電動ハンマ（打撃工具）
１０１  本体部
１０３  本体ハウジング
１０３Ａ  モータハウジング
１０３Ｂ  ギアハウジング
１０４  バレル部
１０５  外側ハウジング
１０６  上方ハウジング
１０６ａ  第１ハウジング要素
１０６ｂ  第２ハウジング要素
１０６ｃ  第３ハウジング
１０６ｄ  第４ハウジング
１０６ｅ  第５ハウジング
１０７  下方ハウジング
１０８  蛇腹
１１０  電動モータ（モータ）
１１１  モータ軸
１１３  ギア減速機
１１９  ハンマビット（先端工具）
１２０  第１運動変換機構（第１クランク機構）
１２１  第１クランク軸
１２１ａ  偏芯軸部
１２３  第１連接ロッド
１２５  ピストン
１３１  ツールホルダ
１３３  カバー部材
１３５  筒状部
１４０  打撃要素
１４１  シリンダ
１４１ａ  空気室
１４３  ストライカ
１４５  インパクトボルト
２２０  第２運動変換機構（第２クランク機構）
２２１  第２クランク軸
２２３  偏芯軸
２２５  第２連接ロッド
２２７  内側クランク軸（駆動側クランク軸）
２２７ａ  軸部
２２７ｂ  フランジ部
２２７ｃ  連結孔
２２９  外側クランク軸（被動側クランク軸）
２２９ａ  軸部
２２９ｂ  フランジ部
２３１  カウンターウェイト
２３３  連結軸
２３５  軸受ホルダ
２３７  ニードルベアリング
２４１  シリンダ受け部
２４３  シリンダ受け部材
２４３ａ  筒状部
２４３ｂ  外フランジ部
２４３ｃ  内フランジ部
３１９  ガイドシャフト
３２１  圧縮コイルバネ
３２３  スライド筒部
５００  ハンドグリップ（ハンドル）
５１０  電気スイッチ
５２０  トリガ
５２５  支点
５４１  コントローラ
５５０  冷却ファン
５５１  バッフルプレート
５５３Ａ  モータ用の吸込み口（第１吸込み口）
５５３Ｂ  コントローラ用の吸込み口（第２吸込み口）
５５５Ａ，５５５Ｂ  吹出し口
５５７  吸入口
５５９  排出口
５６０  仕切り壁
５６０Ａ  第１仕切り壁
５６０Ｂ  第２仕切り壁
５６１  第１リブ
５６２  第２リブ
５６２ａ  円弧状領域
５６２ｂ  平板状領域
５６３  第３リブ
５６４  第４リブ（突部）
５６５  第５リブ（突部）
５７０  シール部材
５７１  シール本体部
５７３  リップ部
５７５  プロテクター
５７７  連絡部
５７９  貫通孔
５８０  ダクト（仕切り壁、組付け部材）
５８１  平板部（軸方向交差壁）
５８１ａ  孔
５８１ｂ  縁部
５８３  周壁部（軸方向延在壁）
５８５  フランジ部（軸方向交差壁）
５８７  流出口
【図１】
2015136744.tif 000003
【図２】
2015136744.tif 000004
【図３】
2015136744.tif 000005
【図４】
2015136744.tif 000006
【図５】
2015136744.tif 000007
【図６】
2015136744.tif 000008
【図７】
2015136744.tif 000009
【図８】
2015136744.tif 000010
【図９】
2015136744.tif 000011
【図１０】
2015136744.tif 000012
【図１１】
2015136744.tif 000013
【図１２】
2015136744.tif 000014
【図１３】
2015136744.tif 000015
【図１４】
2015136744.tif 000016
【図１５】
2015136744.tif 000017
【図１６】
2015136744.tif 000018
【図１７】
2015136744.tif 000019
【図１８】
2015136744.tif 000020
【図１９】
2015136744.tif 000021
【図２０】
2015136744.tif 000022
【図２１】
2015136744.tif 000023
【図２２】
2015136744.tif 000024
【図２３】
2015136744.tif 000025
【図２４】
2015136744.tif 000026